(57)【要約】  【課題】  集合玄関機、住宅情報盤及び通話制御装置を含み、通話制御装置を介して集合玄関機及び住宅情報盤の間で通話を行う機能を備えたインターホンシステムに関し、正確な時刻情報を得ること。  【解決手段】  集合玄関機、住宅情報盤及び通話制御装置を含み、通話制御装置を介して集合玄関機及び住宅情報盤の間で通話を行う機能を備えたインターホンシステムにおいて、前記集合玄関機、住宅情報盤及び通話制御装置の少なくともいずれか１つに標準時刻情報を受信する時刻情報受信部を備えたこと。  【選択図】  図１
2005252730.tif 000002
【特許請求の範囲】
【請求項１】
集合玄関機、住宅情報盤及び通話制御装置を含み、通話制御装置を介して集合玄関機及び住宅情報盤の間で通話を行う機能を備えたインターホンシステムにおいて、
前記集合玄関機、住宅情報盤及び通話制御装置の少なくともいずれか１つに標準時刻情報を受信する時刻情報受信部を備えたことを特徴とするインターホンシステム。
【請求項２】
前記通話制御装置には、前記時刻情報受信部が設けられ、
前記通話制御装置は、前記集合玄関機及び住宅情報盤に対してその存在／不存在を問う信号を定期的に送出するときに、前記時刻情報受信部により受信した標準時刻情報を付加して送出することを特徴とする請求項１記載のインターホンシステム。
【請求項３】
前記住宅情報盤には、前記集合玄関機に設けられたカメラにより撮影された訪問者の映像を表示する映像表示部と該映像を記録する録画ユニットが設けられ、
前記住宅情報盤は、前記標準時刻情報を、前記映像表示部に表示するか、または、前記録画ユニットに記録することを特徴とする請求項１または２のいずれかに記載のインターホンシステム。
【請求項４】
前記集合玄関機には、住戸番号を表示する住戸番号表示部が設けられ、
前記集合玄関機は、前記標準時刻情報を、前記住戸番号表示部に表示することを特徴とする請求項１または２のいずれかに記載のインターホンシステム。
【請求項５】
前記インターホンシステムは、集合玄関のオートロックを解錠するための条件として、暗証番号と該暗証番号が適用される開始時刻及び終了時刻を設定する専用暗証番号設定部が設けられ、
前記集合玄関機の操作部から前記暗証番号が入力された際、前記標準時刻情報が、設定された時刻の範囲内であるか判別することを特徴とする請求項１または２のいずれかに記載のインターホンシステム。
【発明の詳細な説明】
【技術分野】
【０００１】
本発明は、集合玄関機、住宅情報盤及び通話制御装置を含み、通話制御装置を介して集合玄関機及び住宅情報盤の間で通話を行う機能を備えたインターホンシステムに関する。
【背景技術】
【０００２】
従来のインターホンシステムは、訪問者を撮影するカメラを設けた集合玄関機と、各住居に設置された住宅情報盤（親機）および子機と、管理人室機と、通話制御装置と、映像制御装置とを備えている。この各親機には録画ユニットが設けられており、留守に設定されていると、集合玄関機のカメラで撮影された訪問者の映像を録画ユニットに記録する。そして、居住者が帰宅後、録画再生操作を行うと、この記録された訪問者の映像を表示部で確認することができる。（例えば、特許文献１参照。）。
【特許文献１】特開平１１−２２０７２３号公報
【発明の開示】
【発明が解決しようとする課題】
【０００３】
居住者が訪問者の訪問時刻を知るためには、映像の録画時刻を知る必要があり、上記公報では、録画映像に録画時刻を付与するリアルタイムクロック（以下、ＲＴＣと略す）が設けられている。
【０００４】
しかしながら、通常のＲＴＣは月差数秒から数十秒の精度であるため、正確な時刻情報を把握するためには、頻繁に適切に校正を行わなければならず煩雑である。特にインターホンシステムを構成する各機器を一々校正するとなると、かなり煩雑であり、また、機器毎に校正ズレが必ず生じてしまうという問題があった。
【０００５】
本発明は、上記課題を解決するためになされたもので、集合玄関機、住宅情報盤及び通話制御装置を含み、通話制御装置を介して集合玄関機及び住宅情報盤の間で通話を行う機能を備えたインターホンシステムに関し、正確な時刻情報を得ることができることを目的とする。
【課題を解決するための手段】
【０００６】
本発明は、集合玄関機、住宅情報盤及び通話制御装置を含み、通話制御装置を介して集合玄関機及び住宅情報盤の間で通話を行う機能を備えたインターホンシステムにおいて、前記集合玄関機、住宅情報盤及び通話制御装置の少なくともいずれか１つに標準時刻情報を受信する時刻情報受信部を備えたことを特徴とする。
【０００７】
また、前記通話制御装置には、前記時刻情報受信部が設けられ、前記通話制御装置は、前記集合玄関機及び住宅情報盤に対してその存在／不存在を問う信号を定期的に送出するときに、前記時刻情報受信部により受信した標準時刻情報を付加して送出することを特徴とする。
【０００８】
また、前記住宅情報盤には、前記集合玄関機に設けられたカメラにより撮影された訪問者の映像を表示する映像表示部と該映像を記録する録画ユニットが設けられ、前記住宅情報盤は、前記標準時刻情報を、前記映像表示部に表示するか、または、前記録画ユニットに記録することを特徴とする。
【０００９】
また、前記集合玄関機には、住戸番号を表示する住戸番号表示部が設けられ、前記集合玄関機は、前記標準時刻情報を、前記住戸番号表示部に表示することを特徴とする。
【００１０】
また、前記インターホンシステムは、集合玄関のオートロックを解錠するための条件として、暗証番号と該暗証番号が適用される開始時刻及び終了時刻を設定する専用暗証番号設定部が設けられ、前記集合玄関機の操作部から前記暗証番号が入力された際、前記標準時刻情報が、設定された時刻の範囲内であるか判別することを特徴とする。
【発明の効果】
【００１１】
請求項１記載の発明によれば、集合玄関機、住宅情報盤及び通話制御装置の少なくともいずれか１つに標準時刻情報を受信する時刻情報受信部を備えたので、校正を行う煩雑さを解消して、正確な時刻情報を得ることができる。
【００１２】
請求項２記載の発明によれば、通話制御装置に標準時刻情報を受信する時刻情報受信部を設けるだけで、通話制御装置のみならず集合玄関機及び住宅情報盤も正確な時刻情報を得ることができる。そのため、集合玄関機及び住宅情報盤個々に前記時刻情報受信部を設ける必要がなくなるとともに、インターホンシステム全体で正確な時刻情報を共有できる。また、通話制御装置は、集合玄関機及び住宅情報盤に対してその存在／不存在を問う信号を定期的に送出するときに、前記時刻情報受信部により受信した標準時刻情報を付加して送出するので、無駄な通信を行う必要がなく、かつ定期的な時間校正ができる。
【００１３】
請求項３記載の発明によれば、住宅情報盤は、集合玄関機のカメラにより撮影された訪問者の映像を表示する映像表示部に正確な時刻情報を表示することができる。そのため、時刻情報の表示専用の表示部を設ける必要がない。また、居住者が不在のときに訪問者が訪問した場合には、集合玄関機のカメラにより撮影された訪問者の映像とともに時刻情報を録画ユニットに記録するので、帰宅後の居住者が該映像を再生して映像表示部に表示させることで、居住者は、正確な訪問者の訪問時刻を知ることができる。
【００１４】
請求項４記載の発明によれば、集合玄関機は、住戸番号を表示する住戸番号表示部に正確な時刻情報を表示することができる。そのため、時刻情報の表示専用の表示部を設ける必要がない。
【００１５】
請求項５記載の発明によれば、インターホンシステムは、集合玄関機の操作部から暗証番号が入力された際、標準時刻情報が、設定された時刻の範囲内であるか判別して、集合玄関のオートロックを解錠する。そのため、新聞配達員などの訪問者は、従来のＲＴＣの校正し忘れのときのように、暗証番号の適用される時刻範囲内であっても、オートロックが解錠されないということがなくなり、不便さが解消される。
【発明を実施するための最良の形態】
【００１６】
図１は、本発明の一実施例である集合住宅のインターホンシステム全体の構成図であり、図２は、通話制御装置の構成を示すブロック図であり、図３は、集合玄関機の構成を示すブロック図であり、図４は、住宅情報盤の構成を示す概略ブロック図である。図５は、端末機器の存在／不存在を確認するポーリングのデータを示すフォーマット図である。
【００１７】
図１において、ＴＣは通話制御装置、ＶＣは映像制御装置、ＥＰ１、ＥＰｋは、マンションなどの集合住宅の集合玄関に設けられた集合玄関機（ロビーインターホン）、ＳＭ１、ＳＭ２は、集合住宅の管理室及び管理人住戸に設けられた管理人室機（管理人室インターホン）、ＳＭＰは通話制御装置ＴＣと管理人室機ＳＭ１とを１つのケースに収容した管理人室親機、Ｊ１〜Ｊｎは集合住宅の各住戸に設けられた少なくともインターホン機能を備えた住宅情報盤（親機）である。なお、通話制御装置ＴＣに対して、住宅情報盤Ｊ１〜Ｊｎ、集合玄関機ＥＰ１、ＥＰｋ、管理人室機ＳＭ１、ＳＭ２のそれぞれは端末機器である。
【００１８】
また、Ｌ１１〜Ｌ１３は制御信号線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【００１９】
また、ＤＰ１〜ＤＰｎは各住戸の玄関の外に設けられその住戸の住宅情報盤Ｊ１〜Ｊｎに接続されたドアホン、ＪＢ２は増設インターホン、ＳＥ１〜ＳＥｎは監視線ＬＳ２１〜ＬＳ２ｎによって住宅情報盤Ｊ１〜Ｊｎに接続された防犯センサ、ＬＳ１１〜ＬＳ１ｎは予備の監視線である。
【００２０】
つぎに、各端末機器の構成を説明する。まず、通話制御装置ＴＣについて説明する。図２は通話制御装置ＴＣの構成を示すブロック図である。通話制御装置ＴＣは、各端末機器間の通話制御、各端末機器の存在／不存在の監視制御、標準時刻情報の受信及びこの標準時刻情報の各端末機器への送信制御等を行うものである。
【００２１】
図２において、５１は通話制御装置ＴＣ全体の制御を行うマイクロコンピュータ（ＭＰＵ）、５２はプログラムなどを記憶したＲＯＭ、５３は作業用のＲＡＭ、５４は記憶部としてのＥＥＰＲＯＭであり、５５は制御信号線と信号を送受信する制御信号線制御部（ＬＣＣ）、５６は通話線を制御する通話線制御部（ＬＴＣ）、５７は映像制御装置ＶＣと通信を行う映像線制御部（ＶＣＣ）、５８はＥＥＰＲＯＭ５４に記憶された記憶データなどを表示するＬＣＤ等の表示部（ＤＳＰ）、５９は各種スイッチが設けられたスイッチ部（ＳＷＣ）、６０は、標準時刻情報を受信する時刻情報受信部、ＩＦ1 〜ＩＦ６はインターフェースである。
【００２２】
この時刻情報受信部６０は、所謂電波時計であり、例えば福島県などの送信所からの標準電波を受信することで標準時刻情報を受信できるため、１億分の１秒の精度で常に標準時間を得ることができる。そして、後述するように、この標準時刻情報を各端末機器へ送信することができ、これにより、各端末機器でも標準時刻情報を得ることができて、インターホンシステム全体で正確な標準時刻情報を共有できる。
【００２３】
図３は集合玄関機（ロビーインターホン）ＥＰの構成を示すブロック図である。図３において、１０は集合玄関機ＥＰの全体の制御を行うマイクロコンピュータであり、１１は制御信号線Ｌ１１を介して制御信号を送受信する送受信回路である。１２は第１通話線Ｌ２１を介して音声信号を送受信する送受信回路、１３は第２通話線Ｌ３１を介して音声信号を送受信する送受信回路、１４は第１通話線の送受信回路１２と第２通話線の送受信回路１３とを切り替えるための切替回路である。１５は増幅器、１６はスピーカであり、これらは切替回路１４を介して送受信回路１２又は１３と接続され、受信した音声信号に基づいて音声を出力する。１７はマイク、１８は増幅器であり、マイク１７からの音声信号は増幅器１８で増幅されて切替回路１４を介して送受信回路１２又は１３に送り出される。１９は音声合成回路であり、マイクロコンピュータ１０の制御信号に基づいて音声信号を生成して増幅器１５を介してスピーカ１６に出力する。
【００２４】
また、２１は訪問者を撮影するテレビカメラ、２２はテレビカメラ２１からの映像信号を切り替えるための切替回路、２３は切替回路２２で切り替えられた映像信号を第１映像線Ｌ４１に送り出すための送受信回路、２４は切替回路２２で切り替えられた映像信号を第２映像線Ｌ５１に送り出すための送受信回路である。２６、２７は操作部としてのテンキー、呼出釦であり、２８は操作表示灯である。３０はドライバ、３１は７セグメント表示器であり、住戸番号を表示する住戸番号表示部である。３２は後述するオートロックＡＬを集合玄関機ＥＰ側にて解錠する際の暗証番号の設定、及び該暗証番号が適用される開始時刻と終了時刻の設定のための専用暗証番号設定部としてのディップスイッチであり、これは電源投入時又はリセット時に読み取られてマイクロコンピュータ１０に内蔵した記憶部（図示略）に記憶される。上記暗証番号は、例えば新聞配達員など定期的に集合住宅内に入る必要がある居住者以外の人が用いるための専用暗証番号であり、この他に、図示していないが、集合玄関機ＢＰには、住居者用の暗証番号設定部としてのディップスイッチも設けられている。３３は解錠出力回路、３４解錠応答回路、３５はキー回路であり、これらはオートロックＡＬに接続されている。
【００２５】
集合玄関機ＥＰは以上のように構成されており、これには更にオートロックＡＬが接続されている。このオートロックＡＬにおいて、４１は電気錠制御回路、４２は電気錠である。
【００２６】
図４は住宅情報盤（親機）Ｊの構成を示すブロック図である。図４において、７０は住宅情報盤Ｊの全体の制御を行うマイクロコンピュータであり、７１は制御信号線Ｌ１２を介して制御信号を送受信する送受信回路である。７２は第１通話線Ｌ２２を介して音声信号を送受信する送受信回路、７３は第２通話線Ｌ３２を介して音声信号を送受信する送受信回路、７４は第１通話線の送受信回路７２と第２通話線の送受信回路７３とを切り替えるための切替回路である。７５は増幅器、７６はスピーカであり、これらは切替回路７４を介して送受信回路７２又は７３と接続され、受信した音声信号に基づいて音声を出力する。７７はマイク、７８は増幅器であり、マイク７７からの音声信号は増幅器７８で増幅されて切替回路７４を介して送受信回路７２又は７３に送り出される。７９は音声合成回路（スピーカを含む）であり、マイクロコンピュータ７０の制御信号に基づいて音声信号を生成して出力する。なお、スピーカ７６とマイク７７は送受話器ＨＳを構成している。このように、住宅情報盤Ｊはハンドセットタイプであるが、ハンズフリータイプの構成としてもよい。
【００２７】
また、８０は第１映像線Ｌ４２を介して映像信号を送受信する送受信回路、８１は第２映像線Ｌ５２を介して映像信号を送受信する送受信回路である。８２は第１映像線の送受信回路８３と第２映像線の送受信回路８４とを切り替えるための切替回路であり、また、この切替回路８２には後述する録画ユニット９２、映像表示部９１が接続されており、これらのいずれか２つをマイクロコンピュータ７０の制御信号に基づいて切替接続する。８４は操作部であり、テンキーや呼出釦の他に、留守設定釦８５、録画再生釦８６が設けられている。９０はドライバ、９１はＬＣＤ等の映像表示部である。
【００２８】
９２は集合玄関機のテレビカメラ２１が撮影した訪問者の映像信号を録画する録画ユニットである。テレビカメラ２１からの映像信号は、通常時は映像表示部９１に表示されるが、留守設定釦８５がオンされて留守に設定されたときには録画ユニット９２に記憶される。そして、この記憶された映像信号は録画再生釦８６がオンされて録画再生に設定されたときに映像表示部９１に映出されるようになっている。
【００２９】
この他に、図示していないが、住宅情報盤Ｊには、ドアホンＤＰと接続された通信線（制御信号線、通話線）にそれぞれ接続される送受信回路、監視線ＬＳ１１、ＬＳ２１にそれぞれ接続された受信回路が設けられている。
【００３０】
最後に、管理人室機の構成について説明すると、管理人室機ＳＭは、住宅情報盤Ｊの構成に、インターホンシステム全体における各種の異常情報や防犯情報等を表示できる構成のみを追加したものであり、詳細な説明は省略する。
【００３１】
以上のように、インターホンシステム全体の概要が明らかになったところで、次に本実施形態おいて特有な通話制御装置ＴＣにおける標準時刻情報の受信、及び標準時刻情報の各端末機器の受信について説明する。
【００３２】
まず、通話制御装置ＴＣは、常時、時刻情報受信部６０にて福島県、福岡県、佐賀県などの送信所からの標準電波に基づく標準時刻情報を受信しており、この受信した最新の標準時刻情報をＲＡＭ５３に更新して格納している。また、通話制御装置ＴＣは、端末機器が正常に通信可能であるかを確認するため、制御信号線制御部５５を介して、定期的に端末機器の存在／不存在のポーリング処理を行っている。この存在／不存在のポーリング処理は、端末機器に対してその存在／不存在を問う信号を定期的に送出して、端末機器からの返送信号を受信して、その存在／不存在の履歴をＥＥＰＲＯＭ５４に記憶するものであるが、この信号送出時に、ＲＡＭ５３に格納された最新の標準時刻情報を付加して送出しており、これにより、端末機器も標準時刻情報を得ることができるようになっている。
【００３３】
図５は、存在／不存在のポーリング処理を行う際のデータ（信号）を示すフォーマット図であり、存在／不存在のポーリング処理において、通話制御装置ＴＣから住情盤Ｊ１〜Ｊｎに対して送られる信号と住宅情報盤Ｊ１〜Ｊｎからの返信信号との関係について説明したものである。
【００３４】
図５において、通話制御装置ＴＣから送出されるデータは、アドレスを書き込むブロックＡＳ１，２と、コマンドを書き込むブロックＣＭと、データを書き込むブロックＤＡ１，２と、このデータの誤りの有無を判別させるためのブロックＳＭ１，２とからなっており、このデータブロックＤＡ１又はＤＡ２に標準時刻情報を書き込むようになっている。また、各住宅情報盤Ｊ１〜Ｊｎに対しては、自己の存在を通知できるようタイムスロット（返送タイミング）が設定されており、図５の例では８住戸分のタイムスロットがそれぞれ設定されている。
【００３５】
ここで、アドレス指定された最初の８住戸（１０１〜１０８号室）の各住宅情報盤Ｊは、そのデータを受信すると、それぞれに設定されたタイムスロットで自己の存在を知らせるデータを通話制御装置ＴＣに送信する。また、各住宅情報盤Ｊは、受信した標準時刻情報をマイクロコンピュータ７０の記憶部（図示略）に更新記憶し、最新の標準時刻情報を用いてそれぞれの映像表示部９１に正確な時刻情報を表示するようになっている。
【００３６】
一方、通話制御装置ＴＣは、データの受信を検知したときは、順次に取り込んでデータが正常かどうかを判定する。そして、住宅情報盤Ｊのデータが正常なときは、その住宅情報盤Ｊの存在をＥＥＰＲＯＭ５４のデータベースに記録し、また、異常なときは、つまりデータ自体が異常であったりデータが無い場合は、その住宅情報盤Ｊの不存在をＥＥＰＲＯＭ５４のデータベースに記録して、さらに、住宅情報盤Ｊが異常であることを示す表示と警報音の鳴動を管理人室機ＳＭに行わせる。なお、住宅情報盤Ｊの存在／不存在情報は、ＲＡＭ５３に記憶された最新の標準時刻情報とともにＥＥＰＲＯＭ５４へ記録されるようになっており、これにより、存在／不存在時の正確な時刻情報を得ることができる。
【００３７】
通話制御装置ＴＣは、このように８住戸分が終了したときは、次の住戸グループ（１０９〜１１６号室）を選択して、そのグループに対し再びデータを送信して存在／不存在のポーリングを行い、このような存在／不存在のポーリング処理動作を最後の８住戸（例えば、図５では６４１７〜６４２４号室）の各住宅情報盤Ｊにまで行うことで、全ての住宅情報盤Ｊに対して行っている
上記した端末機器の存在／不存在のポーリング処理は、端末機器として住宅情報盤Ｊを用いて説明したが、その他の端末機器、例えば、集合玄関機ＥＰ、管理人室機ＳＭについても同様に行われており、それぞれ標準時刻情報を受信すると、受信した標準時刻情報をマイクロコンピュータの記憶部（図示略）に更新記憶し、最新の標準時刻情報を用いてそれぞれの表示部に正確な時刻情報を表示するようになっている。
【００３８】
つぎに、インターホンシステムの通話制御について説明する。訪問者が例えば集合玄関機ＥＰ１のテンキー２６を操作して訪問すべき部屋番号例えば「１０２」を入力し、次に呼出釦２７を押すと、集合玄関機ＥＰ１から制御線Ｌ１１を介して通話制御装置ＴＣに、集合玄関機ＥＰ１のアドレスと、「１０２」号室の部屋コード（アドレス）と呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御信号線Ｌ１２を介して１０２号室の住宅情報盤Ｊ２に送出すると共に、第１映像線Ｌ４１の映像線指定命令を制御線Ｌ１１を介して集合玄関機ＥＰ１に送出する。また、制御線Ｌ６１を介して映像制御装置ＶＣに映像線Ｌ４１とＬ４２を接続する命令を送出する。集合玄関機ＥＰ１では、送受信回路１１を介して上記の映像線指定命令を受信し、これにより、テレビカメラ２１を起動するとともに、テレビカメラ２１の出力を第１映像線Ｌ４１に接続し、第１映像線Ｌ４１に訪問者の映像信号を送出する。
【００３９】
また、１０２号室の住宅情報盤Ｊ２は、制御信号線Ｌ１２を通じて受信した呼出信号と第１通話線Ｌ２２および第１映像線Ｌ４２の通話・映像線指定命令が自機のアドレスに合致しているとき、切替回路７４を制御して第１通話線Ｌ２２を接続し、切替回路８２を制御して第１映像線Ｌ４２と映像表示部９１を接続する。また、音声合成回路７９のスピーカから呼出音を発し、ロビー灯（図示略）を点灯し、映像表示器９１を起動して第１映像線Ｌ４２により送られてくる映像信号による映像を映出する。
【００４０】
住宅情報盤Ｊ２で送受話器ＨＳが取り上げられると、住宅情報盤Ｊ２から通話制御装置ＴＣに制御線Ｌ１２を介してフックオン信号が送出される。通話制御装置ＴＣは住情盤Ｊ２からフックオン信号を受信すると、集合玄関機ＥＰ１に対し第１通話線Ｌ２１の通話線指定命令を送出し、この命令を受け取ると、集合玄関機ＥＰ１は第１通話線Ｌ２１と接続する。これにより集合玄関機ＥＰ１と住宅情報盤Ｊ２との間の通話路が形成され、訪問者と１０２号室の居住者との間で通話が行われる。
【００４１】
そして、集合玄関に配置されている入出館用の自動ドアは、住宅情報盤Ｊ２の解錠釦（図示略）を操作すると、制御線Ｌ１２、Ｌ１１を介して集合玄関機ＥＰ１に解錠信号が送られ、オートロックＡＬ１が解錠されて開放される。
【００４２】
また、通話が終了して住宅情報盤Ｊ２の送受話器ＨＳを元に戻すと、住宅情報盤Ｊ２から制御線Ｌ１２を介して通話終了信号が通話制御装置ＴＣに送られ、通話制御装置ＴＣは住宅情報盤Ｊ２と集合玄関機ＥＰ１並びに映像制御装置ＶＣに終了命令を送出する。これにより、集合玄関機ＥＰ１はテレビカメラ２１をオフすると共に、切替回路１４、２２を開放し、住宅情報盤Ｊ２は映像表示部９１をオフするとともに、切替回路７４、８２を開放し、映像制御装置ＶＣは第１映像線Ｌ４１とＬ４２の接続を開放する。この結果、第１通話線と第１映像線とは開放される。
【００４３】
ところで、上記のように訪問者により呼出指定された住宅情報盤Ｊにおいて、例えば留守設定釦８５がオンされて留守に設定されている場合、住宅情報盤Ｊは呼出信号を受信すると、切替回路８２を制御して第１映像線Ｌ４２と録画ユニット９２を接続する。そして、第１映像線Ｌ４２により送られてくるテレビカメラ２１からの訪問者の映像信号を記憶部（図示略）に記憶された最新の時刻情報とともに録画ユニット９２に録画するようになっている。
【００４４】
そして、住居者が帰宅時に、例えば留守設定釦８５をオフして留守設定を解除してから、録画再生釦８６をオンすると、切替回路８２を介して、録画ユニット９２に記憶された映像信号ともにその録画時の時刻情報が映像表示部９１に放映される。そのため、居住者は、正確な訪問者の訪問時刻を知ることができる。
【００４５】
つぎに、例えば、新聞配達員などの訪問者による行われるオートロックＡＬの解錠について説明する。
【００４６】
訪問者が予め決められた操作、例えばテンキー２６で暗証番号を入力操作すると、集合玄関機ＥＰ１のマイクロコンピュータ１０は、入力された暗証番号が専用暗証番号設定部３２に予め設定された暗証番号と同一であるかどうかを判断し、同一である場合は、記憶部（図示略）に記憶された最新の標準時刻情報が専用暗証番号設定部３２に予め設定された暗証番号が適用される開始時刻と終了時刻の範囲内であるかを判断する。そして、この範囲内である場合、解錠出力回路３３に解錠信号を出力する。解錠出力回路３３はその信号を電気錠制御回路４１に出力することにより電気錠４２が開き、電気錠４２が開くことにより玄関ドアが開く。これにより、新聞配達員などの訪問者は、従来のＲＴＣの校正し忘れのときのように、暗証番号の適用される時刻範囲内であっても、オートロックＡＬが解錠されないということがなくなり、不便さが解消される。
【００４７】
なお、解錠応答回路３４は電気錠制御回路４１からの解錠応答信号を受信すると、マイクロコンピュータ１０に出力するので、マイクロコンピュータ１０は、その解錠応答信号を受信すると、ドライバ３０を介して住戸番号表示部３１に表示信号を出力し、例えば「ＯＰＥＮ」という表示をさせることができる。
【００４８】
前記実施例において、標準時刻受信部を通話制御装置のみに設け、通話制御装置からの端末機器の存在／不存在のポーリング動作を利用して、端末機器としての住宅情報盤、集合玄関機、管理人室機が標準時刻情報を受信できるようにしているが、通話制御装置が標準時刻情報の送信専用のポーリング動作を行い、これにより端末機器が標準時刻情報を受信してもよい。なお、その場合の端末機器は、通話制御装置により存在／不存在のポーリング処理をされないものであってもよい。
【００４９】
前記実施例において、標準時刻受信部を通話制御装置のみに設け、通話制御装置からのポーリング動作を利用して、端末機器としての住宅情報盤、集合玄関機、管理人室機が標準時刻情報を受信できるようにして、インターホンシステム全体のコスト低減を行っているが、コスト低減しなくてもよいならば、それぞれの端末機器に標準時刻受信部を設けてもよい。また、標準時刻受信部の他に、従来のＲＴＣを設けて、定期的に受信した標準時刻情報でＲＴＣを校正するようにしてもよく、これにより、標準時刻受信部が故障してもある程度正確な時刻情報を得ることができる。
【００５０】
前記実施例において、新聞配達員などの居住者以外の訪問者が利用する暗証番号、その適用される開始時刻及び終了時刻を設定可能な専用暗証番号設定部及び住居者用の暗証番号設定部は、集合玄関機に設けられているが、通話制御装置に設けてもよい。この場合、集合玄関機で入力された暗証番号等は通話制御装置に送信されて判別されてから、解錠信号が集合玄関機に送信される。
【図面の簡単な説明】
【００５１】
【図１】本発明の一実施例である集合住宅のインターホンシステム全体の構成図である。
【図２】図１の通話制御装置の構成を示すブロック図である。
【図３】図１の集合玄関機の構成を示すブロック図である。
【図４】図１の住宅情報盤の構成を示す概略ブロック図である。
【図５】端末機器の存在／不存在を確認するポーリングのデータを示すフォーマット図である。
【符号の説明】
【００５２】
Ｊ１〜Ｊｎ…住宅情報盤
ＴＣ…通話制御装置
ＥＰ１、ＥＰｋ…集合玄関機
６０…時刻情報受信部
２１…テレビカメラ
９１…映像表示部
９２…録画ユニット
【図１】
2005252730.tif 000003
【図２】
2005252730.tif 000004
【図３】
2005252730.tif 000005
【図４】
2005252730.tif 000006
【図５】
2005252730.tif 000007